(57)【要約】      （修正有）【課題】洗面所で使用可能で、貯水及び排水のための開閉操作が容易な螺入式ドレンを提供する。【解決手段】螺入式ドレンは、ドレン本体１０及び防水部材２０とから構成される。ドレン本体１０は、排水孔１１が設けられた管体であり、端縁に防水リング１２が斜め上方に突設され、排水孔１１の内部に連結部材１３を設けてある。連結部材１３の中央部分には、複数の落水口１３２が設けられたネジ孔１３１を有する。防水部材２０は、円盤状の防水ヘッド２１と、ネジ部分２２１が設けられたネジ軸２２とを有し、連結部材１３のネジ孔１３１に、ネジ軸２２の端部を螺入することにより、防水ヘッド２１を防水リング１２に当接して貯水し、又は防水ヘッド２１と防水リング１２とを分離して排水を行なう。【選択図】図２
0003157669.tif 000002
【実用新案登録請求の範囲】
【請求項１】
ドレン本体及び防水部材を備えた洗面所で用いられる螺入式ドレンであって、
前記ドレン本体は、排水孔が設けられた管体であり、端縁に防水リングが斜め上方に突設され、前記排水孔の内部に連結部材が設けられ、前記連結部材の中央部分には複数の落水口が設けられたネジ孔を有し、
前記防水部材は、円盤状の防水ヘッドと、ネジ部分が設けられたネジ軸とを有し、前記連結部材の前記ネジ孔に、前記ネジ軸の端部を螺入することにより、前記防水ヘッドが前記防水リングに当接して貯水し、又は前記防水ヘッドと前記防水リングとを分離することにより排水するようにしてなることを特徴とする洗面所で用いられる螺入式ドレン。
【請求項２】
前記ドレン本体は、前記排水孔の内側に雌ネジ部を有し、
前記連結部材は、外縁に固定ネジ山を有し、
前記ドレン本体の前記雌ネジ部と、前記連結部材の前記固定ネジ山とが螺着されてなることを特徴とする請求項１に記載の螺入式ドレン。
【請求項３】
前記防水部材の前記防水ヘッドと前記ネジ軸との間に、弾性リングが外嵌された環状の密封凹部を有してなることを特徴とする請求項１に記載の螺入式ドレン。
【請求項４】
前記ネジ軸の前記ネジ部分は２条ネジであり、前記ネジ軸を１回転させると２つのピッチが変位してなることを特徴とする請求項１に記載の螺入式ドレン。
【請求項５】
前記防水部材の前記ネジ軸の末端には、２つの位置決め側部が凹設され、前記ネジ軸の軸方向に締結孔が設けられ、前記２つの位置決め側部にＵ字状ブロックを外嵌し、前記締結孔にネジを螺着して前記Ｕ字状ブロックを固定してなることを特徴とする請求項１に記載の螺入式ドレン。
【請求項６】
前記防水ヘッドの上面には、文字又は図形が設計された装飾部材が圧着されてなることを特徴とする請求項１に記載の螺入式ドレン。
【請求項７】
前記防水ヘッドの上面には、環状の粗面が設けられてなることを特徴とする請求項１に記載の螺入式ドレン。
【考案の詳細な説明】
【技術分野】
【０００１】
本考案は、ドレン構造に関するものであり、さらに詳しくは、ネジ孔にネジ軸を螺着させ、防水リングに防水部材の防水ヘッドを当接して貯水を行ない、防水ヘッドと防水リングとを分離して排水を行なう洗面所で用いられる螺入式ドレンに関するものである。
【背景技術】
【０００２】
従来のドレン構造は、図１２及び図１３に示すように、ドレン本体４０、装着カバー５０及び押圧部材６０を含む。ドレン本体４０は、斜め上に突設された落水開口４１を有し、内側に雌ネジ部４２が設けられ、雌ネジ部４２の下端に溢流口４３が設けられてある。ドレン本体４０は、水槽７０の排水箇所に挿設された落水開口４１を有し、締結孔材４４を用いて水槽７０にドレン本体４０を固定する。装着カバー５０の中央部分には、スプリング５２が中に配置され、外縁に落水孔５３を有する凹部５１が設けられている。装着カバー５０の外側に設けられた雄ネジ部５４は、ドレン本体４０の雌ネジ部４２と螺着される。押圧部材６０の防水蓋６２は、押圧レバー６１の上端に設けられ、押圧レバー６１は、装着カバー５０の凹部５１内に挿設されてある。
【０００３】
これにより、従来のドレン構造は、押圧部材６０のスプリング５２の弾性により、装着カバー５０に対して押圧レバー６１が摺動されて押圧で開閉し、排水又は貯水を行うものである。
【０００４】
しかし、従来のドレン構造は、スプリング５２を押圧することによりドレンの開閉を行なう構造のものであったため、力が弱いユーザでは開閉を行うことができず、また、装着カバー５０と押圧部材６０との間に汚物が詰まって動かなくなったり、長期間の使用により構造強度及び弾性が失われ、落水開口４１と防水蓋６２との隙間が広がって密着させることができなくなる虞があった。
かかる状況下において、例えば、排水用ドレンとして、特許文献１によれば、バルコニー及びベランダ等に設けられ、雨水等を排水管を通じて外部に排水するドレンが開示されており、排水管に接続される筒状のドレン本体の上端部にストレーナーを戴置する受皿部が形成され、下端部に型枠に固定するフランジ状の位置出しプレートが着脱自在に設けられることが記載されているが、上部の部材の回転により貯水又は排水を行なうことが可能な螺入式ドレンの構造については開示がない。
【特許文献１】特開２００７−１９８０８７号公報
【考案の開示】
【考案が解決しようとする課題】
【０００５】
従って、本考案の課題は、洗面所で使用可能なドレンであって、貯水及び排水のための開閉操作を容易に行なうことが可能な構造のドレンを提供する点にある。
【課題を解決するための手段】
【０００６】
そこで、本考案者は、前記の本考案の課題を解決するため鋭意検討を重ねたところ、上部に設けた防水部材の容易な回転によりドレンの開閉ができる構造を見い出し、かかる知見に基いて本考案を想到するに至った。
【０００７】
すなわち、本考案の第１の目的は、防水部材を回転させることによりドレンの開閉を行なうものであり、ネジ軸のネジ部分と連結部材のネジ孔との間に設けられた隙間により、防水部材を容易に回転させることができ、操作が簡便な洗面所で用いられる螺入式ドレンを提供することにある。
【０００８】
本考案の第２の目的は、ドレン本体の連結部材のネジ孔の中にネジ軸のネジ部分を螺入し、防水部材を回転させながら摺動させるため、連結部材に汚物が詰まっても、ネジ軸の回転により汚物を押し出すことができ、これにより密着効果に悪影響を与える虞がない洗面所で用いられる螺入式ドレンを提供することにある。
【０００９】
本考案の第３の目的は、防水部材とドレン本体との開閉を螺入方式により行うため、長期間使用しても構造強度又は弾性の低下などにより、防水ヘッドと防水リングとの間隔が広がって密着できなくなることを防ぐ洗面所で用いられる螺入式ドレンを提供することにある。
【００１０】
かくして、本考案によれば、請求項１において、ドレン本体及び防水部材を備えた洗面所で用いる螺入式ドレンであって、
前記ドレン本体は、排水孔が設けられた管体であり、端縁に防水リングが斜め上方に突設され、前記排水孔の内部に連結部材が設けられ、前記連結部材の中央部分には、複数の落水口が設けられたネジ孔を有し、
前記防水部材は、円盤状の防水ヘッドと、ネジ部分が設けられたネジ軸とを有し、前記連結部材の前記ネジ孔に、前記ネジ軸の端部を螺入することにより、前記防水ヘッドを前記防水リングに当接して貯水し、又は前記防水ヘッドと前記防水リングとを分離することにより排水するようにしてなることを特徴とする洗面所で用いられる螺入式ドレンが提供される。
【００１１】
請求項２に係る考案によれば、
前記ドレン本体は、前記排水孔の内側に雌ネジ部を有し、
前記連結部材は、外縁に固定ネジ山を有し、
前記ドレン本体の前記雌ネジ部と、前記連結部材の前記固定ネジ山とが螺着されてなることを特徴とする請求項１に記載の螺入式ドレンが提供される。
【００１２】
請求項３に係る考案によれば、
前記防水部材の前記防水ヘッドと前記ネジ軸との間に、弾性リングが外嵌された環状の密封凹部を有してなることを特徴とする請求項１に記載の螺入式ドレンが提供される。
【００１３】
請求項４に係る考案によれば、
前記ネジ軸の前記ネジ部分は２条ネジであり、前記ネジ軸を１回転させると２つのピッチが変位してなることを特徴とする請求項１に記載の螺入式ドレンが提供される。
【００１４】
請求項５に係る考案によれば、
前記防水部材の前記ネジ軸の末端には、２つの位置決め側部が凹設され、前記ネジ軸の軸方向に締結孔が設けられ、前記２つの位置決め側部にＵ字状ブロックを外嵌し、前記締結孔にネジを螺着して前記Ｕ字状ブロックを固定してなることを特徴とする請求項１に記載の螺入式ドレンが提供される。
【００１５】
請求項６に係る考案によれば、
前記防水ヘッドの上面には、文字又は図形が設計された装飾部材が圧着されてなることを特徴とする請求項１に記載の螺入式ドレン。
【００１６】
請求項７に係る考案によれば、
前記防水ヘッドの上面には、環状の粗面が設けられてなることを特徴とする請求項１に記載の螺入式ドレンが提供される。
【考案の効果】
【００１７】
本考案は、以下（１）〜（３）の効果を奏する。
（１）本考案によれば、防水部材を回転させることによりドレンの開閉を行なうものであり、ネジ軸のネジ部分と連結部材のネジ孔との間に設けられた隙間により、防水部材を容易に回転させることができるため操作が簡便である。
（２）本考案によれば、ドレン本体の連結部材のネジ孔の中にネジ軸のネジ部分を螺入し、防水部材を回転させながら摺動させるので、連結部材に汚物が詰まっても、ネジ軸の回転により汚物を押し出すことができるため、密着効果に悪影響を与える虞がない。
（３）本考案によれば、防水部材とドレン本体とを螺入方式により開閉を行うため、長期間使用しても構造強度又は弾性の低下などにより、防水ヘッドと防水リングとの間隔が広がって密着できなくなることを防ぐことができる。
【図面の簡単な説明】
【００１８】
【図１】本考案の一実施形態による螺入式ドレンを示す斜視図である。
【図２】本考案の一実施形態による螺入式ドレンを示す分解斜視図である。
【図３】本考案の一実施形態による螺入式ドレンを示す断面図である。
【図４】本考案の一実施形態による螺入式ドレンの排水状態を示す断面図である。
【図５】本考案の一実施形態による螺入式ドレンの貯水状態を示す断面図である。
【図６】本考案の他の実施形態による螺入式ドレンを示す分解斜視図である。
【図７】本考案の他の実施形態による螺入式ドレンを示す断面図である。
【図８】本考案の一実施形態による螺入式ドレンの防水部材に弾性リングを取り付けるときの状態を示す分解斜視図である。
【図９】本考案の一実施形態による螺入式ドレンの防水部材に弾性リングを取り付けた状態を示す断面図である。
【図１０】本考案の一実施形態による螺入式ドレンの防水部材にＵ字状ブロックを取り付るときの状態を示す断面図である。
【図１１】本考案の一実施形態による螺入式ドレンの防水部材に装飾部材を取り付けるときの状態を示す斜視図である。
【図１２】従来の洗面所で用いる螺入式ドレンの排水状態を示す断面図である。
【図１３】従来の洗面所で用いる螺入式ドレンを貯水状態を示す断面図である。
【考案を実施するための最良の形態】
【００１９】
以下、本考案の実施形態について図面に基づいて具体的に説明する。なお、本考案は、かかる実施形態によって限定されるものではない。
【００２０】
図１〜図３を参照する。本考案の一実施形態による洗面所で用いられる螺入式ドレンは、図１〜図３に示すように、ドレン本体１０及び防水部材２０を含む。ドレン本体１０は、排水孔１１が設けられた管体であり、斜め上方に突設された縁部が防水リング１２に形成され、ドレン本体１０の排水孔１１の中に連結部材１３が設けられている。
【００２１】
また、ドレン本体１０は、連結部材１３と一体成形されたものであり、連結部材１３の中央部分には、外端に複数の落水口１３２を有するネジ孔１３１が設けられてある。排水孔１１の管壁には、溢流口１４が設けられ、防水リング１２の他方の端部の外側に形成された雄ネジ部１５により、図４に示すようにＯリング１７が設けられた螺着リング１６が固定されてある。
【００２２】
防水部材２０は、円盤状の防水ヘッド２１と、ネジ部分２２１が設けられたネジ軸２２とを含む。防水ヘッド２１の上面には、環状の粗面２３が設けられてある。粗面２３の表面には、凹凸や波形が放射状に設けられてあり、または、エンボス加工がされてある。ネジ部分２２１は、２条ネジである。即ち、ネジ軸２２が一回転すると２つのピッチが変位し、連結部材１３のネジ孔１３１に、ネジ軸２２の端部が螺着され、ネジ孔１３１にネジ軸２２が螺着されることにより、防水リング１２に防水部材２０の防水ヘッド２１を当接して貯水を行ない、また防水ヘッド２１と防水リング１２とを分離して排水を行なう。
【００２３】
図２、図４及び図５を参照する。図２、図４及び図５に示すように、本考案の一実施形態による洗面所で用いられる螺入式ドレンは、水槽３０の落水箇所にドレン本体１０を挿設し、ドレン本体１０の雄ネジ部１５の箇所に螺着リング１６を固定すると、水槽３０の底端に接続され、水槽３０にドレン本体１０が固定され、Ｏリング１７を挟設することにより、水槽３０の底端部が防水機能を得ることができる。
【００２４】
防水部材２０は、ネジ軸２２のネジ部分２２１により、連結部材１３のネジ孔１３１の箇所に直接螺着される。
【００２５】
このように、水槽３０の排水を行う場合、ユーザが防水ヘッド２１の粗面２３を利用して防水部材２０を回転させ、ネジ部分２２１により連結部材１３のネジ孔１３１に沿って防水部材２０を逆時計回りで回転させると、防水部材２０がドレン本体１０の外側に変位し、防水ヘッド２１と防水リング１２とが当接されていない箇所から排水孔１１に汚水が流入する。
【００２６】
このように、連結部材１３の落水口１３２を用いることにより、排水を正常に行うことができる。
【００２７】
さらに、水槽３０に水を貯める場合、ユーザは、防水ヘッド２１の粗面２３により防水部材２０を回転させ、ネジ部分２２１により連結部材１３のネジ孔１３１に沿って防水部材２０を時計回りで回転させると、ドレン本体１０の内側に防水部材２０が変位し、防水リング１２に防水ヘッド２１が当接し、排水孔１１の中に水が流入されなくなり、水槽３０にきれいな水を貯めることができる。上述したように、防水部材２０を回転させることにより、ドレンの開閉を行うことができる。
【００２８】
図６及び図７を再び参照する。図６及び図７に示すように、本考案の他の実施形態による洗面所で用いる螺入式ドレンは、ドレン本体１０の排水孔１１の内側に雌ネジ部１８が設けられ、連結部材１３の外縁に固定ネジ山１３３が設けられてある。ドレン本体１０の雌ネジ部１８と、連結部材１３の固定ネジ山１３３とを螺着させ、ネジ部分２２１により、連結部材１３のネジ孔１３１に防水部材２０を螺着させることにより、同様にドレンの開閉を行ってもよい。
【００２９】
図８及び図９を参照する。図８及び図９に示すように、防水部材２０は、防水ヘッド２１とネジ軸２２との間に環状の密封凹部２４が設けられてある。この密封凹部２４には、弾性リング２５が外嵌されてある。弾性リング２５の環状外縁には、漏れ防止シート２５１が突設されてある。ドレン本体１０の端部に防水部材２０が押圧されると、防水リング１２と防水ヘッド２１との間は、それらの間に挟設された弾性リング２５の漏れ防止シート２５１により、高い防水効果を得ることができる。  
【００３０】
図１０に示すように、防水部材２０のネジ軸２２の末端に凹設された２つの位置決め側部２２２には、ネジ軸２２の軸方向で締結孔２２３が設けられてある。２つの位置決め側部２２２は、Ｕ字状ブロック２６に外嵌され、締結孔２２３中にネジ２７を螺着してＵ字状ブロック２６を固定する。
【００３１】
防水部材２０を逆時計回りで回転させて最大に開くと、連結部材１３のネジ孔１３１の外縁にＵ字状ブロック２６が当接されるため、防水部材２０が回転しすぎて外れることを防ぐことができる。
【００３２】
最後に、図１１に示すように、防水ヘッド２１の上面には、操作方法を示す文字又は図形が表示され、また、メーカのロゴマークが表示された装飾部材２８を圧着又は螺着してもよい。
【００３３】
前記実施形態から理解されるように、本考案は以下（１）〜（３）の長所を備えたものである。
（１）防水部材を回転させることによりネジ軸のネジ部分と連結部材のネジ孔との間に隙間が設けられるので、簡単な操作でドレンの開閉を行うことができる。
（２）防水部材は、ドレン本体の連結部材のネジ孔の中にネジ軸のネジ部分を螺入し、回転させながら摺動させ、連結部材に汚物が詰まっても、ネジ軸の回転により汚物を押し出すことができるため、密着効果に悪影響を与える虞がない。
（３）防水部材とドレン本体との開閉は、螺入方式により行うため、長期間使用しても構造の強度又は弾性の低下などにより、防水ヘッドと防水リングとの間隔が広がって密着できなくなることを防ぐことができる。
【００３４】
以上、本考案の好適な実施形態を前述の通り開示したが、これらは決して本考案を限定するものではない。本考案の主旨と領域を脱しない範囲内で各種の変更や修正を加えることができる。従って、本考案の実用新案登録請求の範囲は、このような変更や修正を含めて広く解釈されるべきである。
【符号の説明】
【００３５】
１０  ドレン本体
１１  排水孔
１２  防水リング
１３  連結部材
１４  溢流口
１５  雄ネジ部
１６  螺着リング
１７  Ｏリング
１８  雌ネジ部
２０  防水部材
２１  防水ヘッド
２２  ネジ軸
２３  粗面
２４  密封凹部
２５  弾性リング
２６  Ｕ字状ブロック
２７  ネジ
２８  装飾部材
３０  水槽
４０  ドレン本体
４１  落水開口
４２  雌ネジ部
４３  溢流口
４４  締結孔材
５０  装着カバー
５１  凹部
５２  スプリング
５３  落水孔
５４  雄ネジ部
６０  押圧部材
６１  押圧レバー
６２  防水蓋
７０  水槽
１３１  ネジ孔
１３２  落水口
１３３  固定ネジ山
２２１  ネジ部分
２２２  位置決め側部
２２３  締結孔
２５１  漏れ防止シート
【図１】
0003157669.tif 000003
【図２】
0003157669.tif 000004
【図３】
0003157669.tif 000005
【図４】
0003157669.tif 000006
【図５】
0003157669.tif 000007
【図６】
0003157669.tif 000008
【図７】
0003157669.tif 000009
【図８】
0003157669.tif 000010
【図９】
0003157669.tif 000011
【図１０】
0003157669.tif 000012
【図１１】
0003157669.tif 000013
【図１２】
0003157669.tif 000014
【図１３】
0003157669.tif 000015